(57)【要約】【課題】  葡萄を、傷つきにくい状態で輸送することができるだけでなく、傷つきにくくかつ見栄えの良い状態で陳列することもできる葡萄収容箱を提供する。【解決手段】  葡萄Ｇを吊り下げた状態で収容するための葡萄収容箱１０を、底面部２１と、複数の側面部２２と、開閉可能に設けられた上蓋部２３とで構成され、隣り合う側面部２２で形成される角部の上部に当該角部の外側から凹んで内側に突出した突出部２２ｉを有する箱本体２０と、箱本体２０とは別体から成り、前記突出部２２ｉの上に載置されることにより箱本体２０の内部における上蓋部２３付近に配されて、葡萄Ｇが箱本体２０の内部に吊り下げられた状態となるように葡萄Ｇの軸Ｇｓを支持するための支持板３０とを備えたものとし、側面部２２が、箱本体２０の内部に吊り下げられた葡萄Ｇを箱本体２０の外部から視認可能とするための開口部２２ｈを有するようにした。【選択図】図３
2018083645.tif 000002
【特許請求の範囲】
【請求項１】
葡萄を吊り下げた状態で収容するための葡萄収容箱であって、
底面部と、複数の側面部と、開閉可能に設けられた上蓋部とで構成され、隣り合う側面部で形成される角部の上部に当該角部の外側から凹んで内側に突出した突出部を有する箱本体と、
箱本体とは別体から成り、前記突出部の上に載置されることにより箱本体の内部における上蓋部付近に配されて、葡萄が箱本体の内部に吊り下げられた状態となるように葡萄の軸を支持するための支持板と
を備え、
箱本体の側面部が、箱本体の内部に吊り下げられた葡萄を箱本体の外部から視認可能とするための開口部を有する
ことを特徴とする葡萄収容箱。
【請求項２】
支持板が樹脂製とされた請求項１に記載の葡萄収容箱。
【請求項３】
葡萄の軸の上端部分に給水するための給水部材が、箱本体の内部における上蓋部と支持板との隙間に収容された請求項２に記載の葡萄収容箱。
【請求項４】
箱本体の側面部外周を覆う筒状の外箱をさらに備えた請求項１〜３いずれかに記載の葡萄収容箱。
【請求項５】
外箱の高さが、箱本体の高さよりも低くなるようにされた請求項４に記載の葡萄収容箱。
【発明の詳細な説明】
【技術分野】
【０００１】
本発明は、葡萄を傷つきにくい状態で収容するための葡萄収容箱に関する。
【背景技術】
【０００２】
葡萄は、非常にデリケートな果物であり、輸送中等に粒が落ちたり果皮が傷ついたりすると、その商品価値が低下してしまう。にもかかわらず、従来は、段ボールや樹脂等で形成された箱やトレーに寝かせて入れただけの状態で輸送されることが多かった。一部の高級な葡萄については、箱やトレー内に敷き詰められた緩衝材等の中に梱包されることはあったものの、葡萄の自重がかかる部分や、同じ箱やトレー内に梱包された他の葡萄に当たる部分については、やはり傷みやすくなっていた。
【０００３】
このような状況に鑑みて、特許文献１には、葡萄を吊り下げた状態で収容することができるブドウ輸送用箱が提案されている。特許文献１に記載のブドウ輸送用箱は、同文献の図１等に示されるように、ブドウ４の軸４ａを軸固定部材３に固定し、当該軸固定部材３を箱体１に形成された１対の受け部２ａに係合させることで、ブドウの房を宙吊り状態で収容することができるものとなっている。これにより、葡萄の実に傷がつきにくい状態で葡萄を輸送することができる。
【先行技術文献】
【特許文献】
【０００４】
【特許文献１】特開２０１０−２５４３０３号公報
【発明の概要】
【発明が解決しようとする課題】
【０００５】
しかし、特許文献１に記載のブドウ輸送用箱は、あくまで輸送用であり、輸送された葡萄を店頭で販売する際には、葡萄をブドウ輸送箱から取り出して陳列棚等に並べる必要があった。このため、葡萄を陳列棚等に陳列した際には、葡萄の実の一部に自重がかかってしまい、その部分が傷みやすくなるという問題があった。加えて、葡萄を横に寝かせた状態で陳列することになるため、消費者が陳列棚に近づいて上から覗き込まなければ葡萄の様子を見ることができず、離れた位置にいる消費者には葡萄の品質の良さ等をアピールすることができないという問題もあった。
【０００６】
本発明は、上記の課題を解決するために為されたものであり、葡萄を、傷つきにくい状態で輸送することができるだけでなく、傷つきにくくかつ見栄えの良い状態で陳列することもできる葡萄収容箱を提供するものである。
【課題を解決するための手段】
【０００７】
上記課題は、
葡萄を吊り下げた状態で収容するための葡萄収容箱であって、
底面部と、複数の側面部と、開閉可能に設けられた上蓋部とで構成され、隣り合う側面部で形成される角部の上部に当該角部の外側から凹んで内側に突出した突出部を有する箱本体と、
箱本体とは別体から成り、前記突出部の上に載置されることにより箱本体の内部における上蓋部付近に配されて、葡萄が箱本体の内部に吊り下げられた状態となるように葡萄の軸を支持するための支持板と
を備え、
箱本体の側面部が、箱本体の内部に吊り下げられた葡萄を箱本体の外部から視認可能とするための開口部を有する
ことを特徴とする葡萄収容箱
を提供することによって解決される。
【０００８】
本発明の葡萄収容箱は、葡萄を、傷つきにくい状態で輸送することができるだけでなく、傷つきにくくかつ見栄えの良い状態で陳列することもできるものとなっている。すなわち、本発明の葡萄収容箱は、箱本体の側面部に設けられた開口部を通じて、箱本体の内部に吊り下げられた葡萄を箱本体の外部からも視認可能なものとなっているため、葡萄を、本発明の葡萄収容箱内に吊り下げた状態のままで陳列棚等に陳列することができる。これにより、葡萄を絵画のように美しく陳列して、離れた位置にいる消費者にも葡萄の品質の良さをアピールすることができるようになっている。また、陳列中も葡萄を吊り下げた状態とすることができるため、葡萄に自重がかかる等して葡萄が傷つくことを防ぐこともできる。さらに、側面部に開口部を設けたことにより、箱本体を傾けた場合にも葡萄が側面部にぶつかりにくいようにすることもできるようになっている。
【０００９】
本発明の葡萄収容箱において、箱本体や支持板の素材は特に限定されず、段ボールや厚紙等としてもよい。しかし、支持板は樹脂製とすることが好ましい。これにより、支持板の強度を向上させて、重量の大きい葡萄を支持する場合にも支持板が破損したり大きく変形しすぎたりしないようにすることができる。
【００１０】
また、支持板を樹脂製とした場合には、支持板の耐水性を向上させることもできるため、葡萄の軸の上端部分に給水するための給水部材を、箱本体の内部における上蓋部と支持板との隙間に収容することもできる。これにより、乾燥による葡萄の劣化を遅らせて、長期間にわたって葡萄の鮮度を保つことができる。
【００１１】
本発明の葡萄収容箱においては、箱本体の側面部外周を覆う筒状の外箱をさらに備えると好ましい。これにより、箱本体内部の葡萄を見せる必要がないときには、葡萄収容箱の強度を向上させることができるとともに、側面部に設けられた開口部を通じて葡萄が触れられることを防ぐこともできる。また、箱本体の内部に虫やゴミ等の異物が入ることを防ぐこともできる。さらに、葡萄収容箱を箱本体と外箱との二重構造とすることにより、高級感を演出することも可能になる。
【００１２】
上記のように外箱をさらに備える場合には、外箱の高さを箱本体の高さと揃えるようにしてもよいが、外箱の高さを、箱本体の高さよりも低くなるようにすると好ましい。これにより、箱本体に外箱を被せた状態であっても、箱本体の上部に印刷した商品名やロゴ、キャラクター等のデザインが露出するようにして、商品名等をアピールすることが可能になる。
【図面の簡単な説明】
【００１３】
【図１】外箱を装着した状態の葡萄収容箱の斜視図である。
【図２】外箱を外した状態の葡萄収容箱の斜視図である。
【図３】葡萄収容箱を分解した様子を表す斜視図である。
【図４】葡萄収容箱における箱本体の斜視図である。
【図５】葡萄収容箱における箱本体の展開図である。
【図６】葡萄収容箱における箱本体の正面図である。
【図７】葡萄収容箱における箱本体の左面図である。
【図８】葡萄収容箱における箱本体の右面図である。
【図９】葡萄収容箱における箱本体の背面図である。
【図１０】葡萄収容箱における箱本体の平面図である。
【図１１】葡萄収容箱における箱本体の底面図である。
【発明を実施するための形態】
【００１４】
以下、本発明の葡萄収容箱の好適な実施態様について、図面を用いてより具体的に説明する。
【００１５】
１．  葡萄収容箱
図１〜３は、葡萄収容箱１０の斜視図であり、図１は外箱４０を装着した状態を、図２は外箱４０を外した状態を、図３は、葡萄収容箱１０を分解した様子を、それぞれ示している。図４は、葡萄収容箱１０における箱本体２０の斜視図である。図５は、葡萄収容箱１０における箱本体２０の展開図である。図６〜１１は、葡萄収容箱１０における箱本体２０の六面図であり、図６は正面図を、図７は左面図を、図８は右面図を、図９は背面図を、図１０は平面図を、図１１は底面図を、それぞれ示している。
【００１６】
本発明の葡萄収容箱１０は、図２に示すように、葡萄Ｇを吊り下げた状態で箱本体２０の内部に収容するためのものとなっている。本実施態様における葡萄収容箱１０は、図３に示すように、葡萄Ｇを内部に収容するための箱本体２０と、葡萄Ｇの軸Ｇｓを支持することで葡萄Ｇを箱本体２０内部に吊り下げるための支持板３０と、箱本体２０の外周を覆うための外箱４０とを備えたものとなっている。以下、これらの各構成について説明する。
【００１７】
２．  箱本体
本実施態様の葡萄収容箱１０において、箱本体２０は、図４に示すように、底面部２１と、側面部２２と、上蓋部２３とで構成されている。箱本体２０の素材は特に限定されず、木や樹脂等とすることもできるが、紙とするとコストを抑えることができるため好ましい。なかでも、厚手の紙素材を使用すると、箱本体２０の強度を確保することもできるため好ましい。本実施態様においては、図５の展開図に示す形状に切り抜かれた薄手の段ボールを組み立てることによって箱本体２０を形成している。なお、図５の展開図においては、輪郭線及び切込み線を実線で、山折り線を破線で、谷折り線を一点鎖線で示している。
【００１８】
側面部２２は、立体の側面を形成できるのであればその枚数を特に限定されない。本実施態様においては、図５に示すように、側面部２２を、箱本体の２０の正面を為す正面部２２ａと、左面を為す左面部２２ｂと、右面を為す右面部２２ｃと、背面を為す背面部２２ｄとの４面で構成している。側面部２２は、右面部２２ｃに設けられた差込片２２ｅを、背面部２２ｄの左縁に沿って設けられた折返し部２２ｆにおける差込孔２２ｇに差し込むことによって、全体として筒状を為すように組み立てられる。底面部２１は、箱本体２０の底面として十分な強度を有するのであれば、その具体的な構造を特に限定されないが、本実施態様においては、それぞれの側面部２２の下縁から突出して設けられた４つの突片部２１ａを組み合わせて形成される。上蓋部２３は、箱本体２０の組み立て後に開閉自在となるのであればその具体的な構造を特に限定されないが、本実施態様においては、蓋本体２３ａに設けられた差込片２３ｂを、背面部２２ｄの上縁から突出して設けられた突片部２３ｃにおける差込孔２３ｄに差し込み可能とすることで、開閉可能に構成している。
【００１９】
側面部２２には開口部２２ｈが設けられており、図２に示すように、この開口部２２ｈを通して、箱本体２０の内部に吊り下げられた葡萄Ｇが外部から視認できるようになっている。開口部２２ｈは、複数の側面部２２のうち少なくとも１つに設けられていればよく、どの面に設けるのかについても特に限定されないが、本実施態様においては、すべての側面部２２に開口部２２ｈを設けている。開口部２２ｈの形状は、特に限定されない。また、開口部２２ｈの大きさも特に限定されないが、開口部２２ｈが小さすぎると、箱本体２０の内部に吊り下げられた葡萄Ｇが外部から視認しにくくなってしまう。このため、開口部２２ｈは、その開口面積が、それが設けられた側面部２２の面積の２割以上となるようにすると好ましい。開口部２２ｈの開口面積は、それが設けられた側面部２２の面積の３割以上とするとより好ましく、４割以上とするとさらに好ましい。本実施態様においては、開口部２２ｈを、その開口面積が側面部２２の面積の５割程度である略矩形状に形成している。具体的には、側面部２２の縦の長さを２２ｃｍ程度、横の長さを１４ｃｍ程度としており、開口部２２ｈの縦の長さを１６ｃｍ程度、横の長さを１０ｃｍ程度としている。これにより、箱本体２０の内部に吊り下げられた葡萄Ｇがあたかも額縁に飾られた絵画であるかのように見せることができるようになっている。
【００２０】
本実施態様の葡萄収容箱１０においては、図３に示すように、互いに隣り合う側面部２２（例えば、正面部２２ａと右面部２２ｃ）で形成される角部の上部に、当該角部を外側から凹ませて箱本体２０の内側に向かって突出するようにした突出部２２ｉを設けている。この突出部２２ｉは、後述するように、その上に支持板３０を載置するためのものとなっている。突出部２２ｉは、隣り合う側面部２２で形成される複数の角部のうち、３箇所以上に設けると、支持板３０を安定して支えることができるため好ましい。本実施態様においては、４箇所の角部すべてに突出部２２ｉを設けており、支持板３０をより安定して支えることができるようにしている。
【００２１】
突出部２２ｉは、図５に示すように、上側切込み２２ｉ１及び下側切込み２２ｉ２を、互いに隣り合う側面部２２（例えば、正面部２２ａと右面部２２ｃ）に跨って入れることによって形成されており、図３に示すように、箱本体２０を組み立てる際に、上側切込み２２ｉ１と下側切込み２２ｉ２とに挟まれた部分を外側から内側に向かって谷折りすることで、箱本体２０の内側に突出させることができるようになっている。上側切込み２２ｉ１は、図５に示すように、開口部ｈの上端部よりも上側に位置するようにすると、突出部２２ｉの上に載せた支持板３０が開口部ｈから見えないようにすることができるため好ましい。
【００２２】
３．  支持板
支持板３０は、既に述べたように、葡萄Ｇの軸Ｇｓを支持して、葡萄Ｇを箱本体２０内部に吊り下げるためのものとなっている。具体的には、図３に示すように、箱本体２０とは別体から成る支持板３０に葡萄Ｇの軸Ｇｓを固定したうえで、当該支持板３０を上述した突出部２２ｉの上に載置することにより、葡萄Ｇの軸Ｇｓを箱本体２０の内部における上蓋部２３付近に支持することができるようになっている。これにより、箱本体２０に収容された葡萄Ｇを取り出す際に、葡萄Ｇを支持板３０ごと略真上に持ち上げて取り出すことができるため、葡萄Ｇが側面部２２等にぶつかって傷つくことを防ぐことができる。
【００２３】
支持板３０は、突出部２２ｉの上に安定的に載置することができ、葡萄Ｇを支持し得るだけの強度を有していれば、その形状を特に限定されない。本実施態様においては、図３に示すように、支持板３０を矩形状に形成している。また、支持板３０の４辺のそれぞれには、上方に折り上げられた折り返し部３１を設けている。これにより、支持板３０の剛性を向上させることができるようになっている。また、折り返し部３１に元に戻ろうとする力が生じるようになるため、支持板３０を突出部２２ｉの上に載置した際に、折り返し部３１が箱本体２０の側面部２２に押し付けられるようになり、支持板３０をガタつきにくくすることができるようになっている。支持板３０は、その素材を特に限定されないが、本実施態様においては樹脂製としている。
【００２４】
葡萄Ｇの軸Ｇｓを支持板３０に固定する方法は特に限定されない。本実施態様においては、図３に示すように、支持板３０の中央付近に挿通孔３２を設けて、この挿通孔３２に下方から通した葡萄Ｇの軸Ｇｓの上部に軸留め具３３を取り付けることによって、軸Ｇｓを支持板３０に固定している。軸留め具３３は、葡萄Ｇの重量がかかった際にも軸Ｇｓから外れない程度にしっかりと軸Ｇｓに取り付けることができ、挿通孔３２を通り抜けできないものであればよい。軸留め具３３には、クリップや輪ゴム等を用いることもできる。軸留め具３３の素材も特に限定されず、木や金属等としてもよいが、樹脂やゴム等の耐水性のある素材とすると好ましい。本実施態様においては、軸留め具３３として輪ゴムを用いており、図３に示すように、この輪ゴムを葡萄Ｇの軸Ｇｓに多重に巻き付けることによって、軸留め具３３（輪ゴム）が挿通孔３２を通り抜けないようにしている。
【００２５】
ところで、本実施態様においては、支持板３０と上蓋部２３とで形成される間隙部分（支持板３０の上の空間）に、葡萄Ｇの軸Ｇｓに給水するための給水部材（図示省略）を設けている。吸水部材は、水等を含ませた状態で葡萄Ｇの軸Ｇｓの上端（切り口）に接触させておくことにより、葡萄Ｇが乾燥状態になることを防いで、葡萄Ｇの鮮度を長期間にわたって保つためのものとなっている。吸水部材の素材は、水等の液体を浸みこませて保持することができるものであれば特に限定されず、スポンジや、脱脂綿や、不織布や、吸水性ポリマ等とすることができる。また、吸水部材に浸みこませる液体は、水に限定されず、防腐剤や乾燥防止剤等を含む各種の水溶液としてもよい。
【００２６】
４．  外箱
本実施態様の葡萄収容箱１０は、図１に示すように、箱本体２０の側面部２２外周を覆う筒状の外箱４０を備えている。外箱４０は、箱本体２０の内部に収容した葡萄Ｇを見せる必要がないときに箱本体２０に被せて、箱本体２０の強度を向上させたり、開口部２２ｈを覆って、開口部２２ｈを通じて葡萄Ｇが触れられたり、箱本体の内部に虫やゴミ等の異物が入ったりすることを防いだりするためのものとなっている。このため、外箱４０は、通常、開口部２２ｈを塞ぐことのできるものとされる。ただし、本実施態様においては、図１に示すように、外箱４０の高さが、箱本体２０の高さよりも低くなるようにして、外箱４０を箱本体２０に装着した状態においても箱本体２０の正面部２２ａ上部に印刷されたブランド名２２ａ１が露出するようにしている。
【００２７】
本実施態様における外箱４０は、図３に示すように、箱本体２０の背面部２２ｄと重なる面に破断補助部４１を有しており、この破断補助部４１の上端又は下端部分を手等で引っ張ることにより、外箱４０を破断させて開くことが出来るようになっている。これにより、箱本体２０に被せられた外箱４０を、容易に開封することができるようになっている。
【符号の説明】
【００２８】
１０      葡萄収容箱
２０      箱本体
２１      底面部
２１ａ    突片部
２２      側面部
２２ａ    正面部
２２ａ１  ブランド名
２２ｂ    左面部
２２ｃ    右面部
２２ｄ    背面部
２２ｅ    差込片
２２ｆ    折返し部
２２ｇ    差込孔
２２ｈ    開口部
２２ｉ    突出部
２２ｉ１  上側切込み
２２ｉ２  下側切込み
２３      上蓋部
２３ａ    蓋本体
２３ｂ    差込片
２３ｃ    突片部
２３ｄ    差込孔
３０      支持板
３１      折り返し部
３２      挿通孔
３３      軸留め具
４０      外箱
４１      破断補助部
Ｇ        葡萄
Ｇｓ      軸
【図１】
2018083645.tif 000003
【図２】
2018083645.tif 000004
【図３】
2018083645.tif 000005
【図４】
2018083645.tif 000006
【図５】
2018083645.tif 000007
【図６】
2018083645.tif 000008
【図７】
2018083645.tif 000009
【図８】
2018083645.tif 000010
【図９】
2018083645.tif 000011
【図１０】
2018083645.tif 000012
【図１１】
2018083645.tif 000013